(57)【要約】【課題】躯体表面から既存仕上げ層が落下することを防止するピンネット工法は、多くの工程を要する。【解決手段】表面側樹脂層と裏面側樹脂層の間にネットを埋め込んだ建材を用意する。建材の頂点と隣接する建材の頂点が接する位置では、樹脂層を切欠き、その切欠きにネットが延びる関係にしておく。躯体表面に建材を順に貼り付けていくと、切欠き部ではネット同志が重複する。その位置で穿孔してアンカーピンを固定すると、ピンネット工法が完成する。表面側樹脂層が表面層を兼用することも可能であり、工程数の大幅な削減が可能となる。【選択図】図４
2015101835.tif 000002
【特許請求の範囲】
【請求項１】
躯体表面に順に貼り付けることでピンネット工法の施工を容易化する建材であり、
その建材は、ネットと樹脂層を備えており、
その樹脂層は、前記ネットの表裏両面を覆うとともに、表面側樹脂層と裏面側樹脂層が前記ネットの網目を通して結合しており、
前記樹脂層は、略多角形であって、各頂点に切欠きが形成されており、
少なくとも前記切欠きに前記ネットが延びており、
躯体表面に貼り付けられた建材に隣接する位置に別の建材を貼り付けると、切欠きの部分では先に貼り付けられた建材のネットと後で貼り付けられた建材のネットが重複するとともに後で貼り付けられた建材の樹脂層で被覆されないことを特徴とする建材。
【請求項２】
前記樹脂層は、四隅に切欠きが形成された略長方形または略正方形であり、
前記樹脂層の隣接する２辺から前記ネットが延びており、
前記２辺に接しない位置にある頂点に形成されている切欠きにも前記ネットが延びており、
躯体表面に貼り付けられた建材に隣接する位置に別の建材を貼り付けると、切欠き以外の部分では、先に貼り付けられた建材のネットが後で貼り付けられた建材の樹脂層で被覆されることを特徴とする請求項１の建材。
【請求項３】
躯体表面に請求項１または２の建材を順に貼り付ける工程と、
重複したネットが切欠きによって樹脂層から露出した位置において躯体に穿孔する工程と、
躯体に穿孔された穴に、前記ネットの網目よりも大きな頭部を持つアンカーピンを固定する工程を備えているピンネット工法。
【請求項４】
隣接する建材の切欠きが連続する個所に、装飾板を貼り付ける工程が付加されている請求項３のピンネット工法。
【請求項５】
躯体表面に順に貼り付けることでピンネット工法の施工を容易化する建材であり、
その建材は、ネットと樹脂層を備えており、
その樹脂層は、前記ネットの表裏両面を覆うとともに、表面側樹脂層と裏面側樹脂層が前記ネットの網目を通して結合しており、
前記樹脂層は、長方形または正方形であり、
前記樹脂層の隣接する２辺から前記ネットが延びており、
躯体表面に貼り付けられた建材からネットが延びている側において隣接する位置に別の建材を貼り付けると、先に貼り付けられた建材のネットと後で貼り付けられた建材のネットが重複することを特徴とする建材。
【請求項６】
躯体表面に請求項５の建材を順に貼り付ける工程と、
先に貼り付けられた建材のネットと後で貼り付けられた建材のネットが重複する位置において樹脂層越しに躯体に穿孔する工程と、
躯体に穿孔された穴に、前記ネットの網目よりも大きな頭部を持つアンカーピンを固定する工程を備えているピンネット工法。
【発明の詳細な説明】
【技術分野】
【０００１】
本明細書は、ピンネット工法用に開発された建材と、その建材を用いるピンネット工法を開示する。
【背景技術】
【０００２】
躯体表面に、モルタル層を介してタイルや仕上げ材が貼り付けられていたり、モルタル層の表面に塗装が施されていたりすることがある。経年変化によって、躯体表面からタイルや仕上げ材あるいはモルタル層が剥離して落下する場合がある。本明細書では、剥離して落下する可能性があるものを既存仕上げ層という。
既存仕上げ層の落下事故を防止するために、ピンネット工法が開発されている。ピンネット工法では、（１）既存仕上げ層の表面にプライマーを塗布し、（２）樹脂またはセメントまたはそれら混合物を塗布し（以下では下地層という）、（３）下地層が硬化しないうちに下地層の表面にネットを張り、（４）ネット越しに躯体に穿孔し（例えば、１辺が５０ｃｍの正方形格子の各頂点の位置に穿孔する）、（５）その孔にアンカーピンを固定してアンカーピンの頭部でネットを躯体に固定し、（６）ネット上から樹脂またはセメントまたはそれら混合物を再度塗布し（以下では中間層という）、（７）中間層の表面にタイルやモルタル等の仕上げ層（以下では表面層という）を固定する。
【先行技術文献】
【非特許文献】
【０００３】
【非特許文献１】全国ビルリフォーム工事共同組合のピンネット工法の説明資料
【発明の概要】
【発明が解決しようとする課題】
【０００４】
ピンネット工法によると、下地層と中間層がネットの網目を通して結合することで一体化し、その一体化層の中間にネットが埋め込まれた状態が得られる。そのネットがアンカーピンによって躯体に固定されることから、一体化層が躯体から離脱することが防止される。既存仕上げ層は、ネットが埋め込まれた一体化層と躯体の間に収容され、躯体から落下することが防止される。
【０００５】
ピンネット工法は、既存仕上げ層の落下事故を防止する有効な工法であるが、施工しづらいという問題を抱えている。
（１）従来のピンネット工法では、下地層が硬化しない間にネットを貼り付けなければならない。補修面が広大であると、その条件を満たすことが容易でない。
（２）従来のピンネット工法では、ネットを張った後に中間層を形成する工程を必要とする。
（３）従来のピンネット工法では、中間層の表面に表面層を形成する工程を必要とする。
（４）従来のピンネット工法では、中間層と表面層が別々であり、その間の接着にネットが関与しない。経年変化によって、中間層から表面層が剥離する可能性が残っている。
本明細書では、従来のピンネット工法の上記問題を解決することができる建材を開示する。本明細書で開示する建材は、躯体表面に順に貼り付けていくことでピンネット工法の施工を容易化するように開発された。
【課題を解決するための手段】
【０００６】
本明細書で開示する建材は、ネットと樹脂層を備えている。ここでいう樹脂層は、樹脂のみの層、樹脂とセメントの混合物の層、あるいはさらに外観改善剤が加えられた混合物の層をいう。その樹脂層は、ネットの表裏両面を覆うとともに、表面側樹脂層と裏面側樹脂層がネットの網目を通して結合している。すなわち、表面側樹脂層と裏面側樹脂層が一体化した樹脂層の中間深さにネットが埋め込まれている。
樹脂層は略多角形であって、各頂点に切欠きが形成されている。ここでいう略多角形とは、切欠きを除外すると多角形であることをいう。
ネットは、少なくとも切欠きにまで延びている。ここでいう「少なくとも」は、切欠き以外の部分でも、ネットが樹脂層から延びていることを排除しないことを意味する。
この建材は、躯体表面に順に貼っていく。すなわち、躯体表面に貼り付けられた建材に隣接する位置に別の建材を貼り付けていく。この際に、切欠きの部分では、先に貼り付けられた建材のネットと後で貼り付けられた建材のネットが重複するとともに、後で貼り付けられた建材の樹脂層で被覆されない関係が得られる。
【０００７】
上記の建材を用いると、多角形樹脂層の各頂点位置に形成された切欠き部では、隣接するネットが重複する。その位置で躯体に穿孔してアンカーピンを固定すれば、隣接するネット同志が離反することを防止できる。また建材ごとに、ネットの輪郭の各頂点が躯体に固定される。建材を順に貼り、隣接する建材の切欠き部同志が連続する個所にアンカーピンを固定すれば、ピンネット工法が完成する。
本建材によると、
（ａ）下地層に当たる裏面側樹脂層と中間層に当たる表面側樹脂層の間にネットが埋め込まれており、その網目を介して裏面側樹脂層と表面側樹脂層が結合している建材を予め製造しておくことから、前記した（１）（２）の問題が生じない。
（ｂ）また、表面側樹脂層自体が表面層を兼用する建材を予め製造しておくことから、前記した（３）（４）の問題も生じない。
【０００８】
樹脂層は、３角形または６角形等であってもよいが、四隅に切欠きが形成された略長方形または略正方形としておくことが好ましい。その場合、樹脂層の隣接する２辺からネットが延びており、かつ、その２辺に接しない位置にある頂点に形成されている切欠きにもネットが延びていることが好ましい。
上記によると、建材を躯体表面に順に貼っていく際に、先に貼り付けた建材からネットが延びている側に新たな建材を貼り付けていくことによって、切欠き以外の部分では先に貼り付けられた建材のネットが後で貼り付けられた建材の樹脂層で被覆される。その一方において、ネットが延びている２辺に接しない位置にある頂点に形成されている切欠きでは、隣接する４枚の建材から延びる４枚のネットが重複する。１本のアンカーピンで４枚のネットを躯体に固定することができる。
【０００９】
上記の建材は、躯体の表面に順に貼り付けていく。そして、重複したネットが切欠きによって樹脂層から露出した位置において躯体に穿孔し、躯体に穿孔された穴にネットの網目よりも大きな頭部を持つアンカーピンを固定していく。すると、ピンネット工法が完成する。
【００１０】
建材と建材が隣接する位置では、切欠きが連続した個所が形成される。その切欠き連続個所に、装飾板を貼り付ける工程を実施してもよい。この工程が付加されていると、装飾板によってアンカーピンの頭部とネットが覆われ、装飾効果が増大する。
【００１１】
本明細書が開示する技術の詳細とさらなる改良は以下の「発明を実施するための形態」にて説明する。
【発明の効果】
【００１２】
上記の建材を用いると、ピンネット工法に必要な工程数が削減される。ピンネット工法のための作業が簡単化され、施工期間が短縮化され、施工コストが低減される。さらに、ピンネット工法施工後の耐久性も向上する。
【図面の簡単な説明】
【００１３】
【図１】実施例の建材の平面図を示す。
【図２】１枚目の建材の左隣に２枚目の建材を貼り付けた後の平面図を示す。
【図３】１枚目の建材の下隣に３枚目の建材を貼り付けた後の平面図を示す。
【図４】２枚目の建材の下隣であって３枚目の建材の左隣に４枚目の建材を貼り付けた後の平面図を示す。
【図５】４枚の建材が隣接する位置において４個の切欠きが連続することで形成される正方形状の切欠きにおいて、４枚のネットが重複する様子を示す。
【図６】補修対象の躯体表面近傍の断面図を示す。
【図７】既存仕上げ層の表面にプライマーを塗布した後の断面を示す。
【図８】１枚目の建材と３枚目の建材を貼り付けた後の断面図を示す。
【図９】切欠き部に穿孔した後の断面図を示す。
【図１０】穿孔した穴にアンカーピンを挿入した後の断面図を示す。
【図１１】アンカーピンに芯棒を装着した後の断面図を示す。
【図１２】アンカーピンに芯棒を打ち込んでアンカーピンを躯体に固定した後の断面図を示す。
【図１３】４個の切欠きが連続することで形成される正方形状の切欠きに装飾板を固定した後の断面図を示す。
【発明を実施するための形態】
【００１４】
以下に説明する実施例の主要な特徴を列記しておく。
（特徴１）少なくとも表面側樹脂層に陶石粒子が混入しており、天然石パネルに類似する外観を提供する。
（特徴２）樹脂層は、アクリルシリコン樹脂を主材料としており、柔軟性を有する。
（特徴３）表面側樹脂層の表面にコーティング剤が塗布されている。
（特徴４）表面側樹脂層自体が、仕上げ面を提供する。
（特徴５）樹脂層の表面にアンカーピンの頭部が露出してもよいという条件で用いられる建材である。隣接する２辺からネットが延びている。先に貼った建材からネットが延びている側に、隣接する建材を貼っていく。隣接する位置に貼った建材が、先に貼った建材から延びるネットを被覆し、先に貼った建材のネットと後で貼った建材のネットとが重複する。その重複位置で、樹脂層越しに躯体に穿孔し、アンカーピンを固定する。樹脂層の表面にアンカーピンの頭部が露出してもよいという条件であれば、樹脂層に切欠きを設けなくてもよい。
【実施例】
【００１５】
（実施例）
図１は、実施例の建材２の平面図を示している。建材２は、樹脂層４と、樹脂層４に埋め込まれたネット６を備えている。樹脂層４は、１辺が約５０ｃｍの略正方形であり、４隅に切欠き４ａ，４ｂ，４ｃ，４ｄが形成されている。各切欠きの１辺は約２．５ｃｍである。ネット６は、樹脂層４の左辺から外側に延びており、延びている部分６ｅの幅Ｌは約５ｃｍである。ネット６は、樹脂層４の下辺からも外側に延びており、延びている部分６ｆの幅Ｌは約５ｃｍである。切欠き４ａの部分にもネット６ａが延びている。切欠き４ａの位置で延びている部分６ａは、１辺が約５ｃｍの正方形である。切欠き４ｂの部分にもネット６ｂが延びている。切欠き４ｂの位置で延びている部分６ｂは、１辺が約５ｃｍの正方形である。部分６ｂと部分６ｅは、部分的に重複している。部分６ｂの左側では、ネット６が切欠かれている。切欠き６ｊは、１辺が２．５ｃｍである。切欠き６ｊが形成されているために、建材２を順に貼っていったときに、樹脂層４の切欠き以外の分では、先に貼られ樹脂層４の表面にネット６が被ってくることがない。切欠き４ｃの部分にもネット６ｃが延びている。切欠き４ｃの位置で延びている部分６ｃは、１辺が約５ｃｍの正方形である。部分６ｃと部分６ｅ及び部分６ｆは部分的に重複している。切欠き４ｄの部分にもネット６ｄが延びている。切欠き４ｄの位置で延びている部分６ｄは、１辺が約５ｃｍの正方形である。部分６ｄと部分６ｆは部分的に重複している。部分６ａは、ネット６ｅ、６ｆが延びている樹脂層４の左辺と下辺に接しない位置にある頂点に形成されている切欠き４ａに延びている。
【００１６】
図８に、建材２の断面図が示されている。樹脂層４は、裏面側樹脂層４ｇと表面側樹脂層４ｈで構成されており、両者の間にネット６が埋め込まれている。裏面側樹脂層４ｇと表面側樹脂層４ｈはネット６の網目を通して結合している。樹脂層４とネット６は、強固に一体化されており、ネット６を後記するアンカーピンで躯体５０に固定すると、樹脂層４も躯体５０に固定される。
【００１７】
図６に示すように、本実施例の場合は、躯体５０の表面にモルタル層５２を介してタイル５４が貼られている。既存仕上げ層がタイル５４の場合を例示しているが、既存仕上げ層はタイルに限定されない。なお参照番号５６は、目地セメントである。
躯体表面を補修する際には、図７に示すように、既存仕上げ層５４の表面にプライマー６０を塗布する。その後に、図８に示すように、建材２の裏面に接着剤を塗布して建材２を貼っていく。接着剤には、裏面側樹脂層４ｇと同じ樹脂を用いる。同じ樹脂を用いて貼っていくために、裏面側樹脂層４ｇと接着剤が融合し、裏面側樹脂層４ｇがプライマー層６０に強固に固定される。
【００１８】
図１は、躯体表面に最初の１枚の建材２を貼った状態を示している。図２は、その左隣に２枚目の建材２２を貼った状態を示している。施工時には、先に貼った建材２からネットが延びている側の隣接位置に、次の建材２２を貼っていく。このために、１枚目の建材２から延びているネット６ｅは２枚目の建材２２で覆われる。２枚目の建材２２の右辺に沿った位置では、２枚のネットが重複することになる。本実施例では、末尾の数字が２であることは、建材であることを意味し、１０の桁の数字が、２枚目・３枚目・４枚目であることを示している。
【００１９】
図３は、１枚目の建材２の下隣に３枚目の建材３２を貼った状態を示している。実際の施工時には、先に貼った建材の左隣に次の建材を貼っていき、その列が張り終えた後に、その下の列に貼っていく。図１から図４は、４枚の建材が隣接する位置の切欠き（最初の建材２の切欠き４ｃと、２枚目の建材２２の切欠き２４ｄと、３枚目の建材３２の切欠き３４ｂと、４枚目の建材４２の切欠き４４ａが連続する位置）において、４枚のネット６が重複する様子を示すものであり、左側に連続する建材の図示が省略されている。３枚目の建材３２を貼ることで、１枚目の建材２から延びているネット６ｆは３枚目の建材３２で覆われる。３枚目の建材３２の上辺に沿った位置では、２枚のネットが重複することになる。
【００２０】
図４は、２枚目の建材２２の下隣であって、３枚目の建材３２の左隣の位置に、４枚目の建材４２を貼った状態を示している。４枚目の建材４２を貼ることで、２枚目の建材２２から延びているネット２６ｆは４枚目の建材４２で覆われる。４枚目の建材４２の上辺に沿った位置では、２枚のネットが重複することになる。また、４枚目の建材４２を貼ることで、３枚目の建材３２から延びているネット３６ｅは４枚目の建材４２で覆われる。４枚目の建材４２の右辺に沿った位置では、２枚のネットが重複することになる。また、４枚目の建材４２を貼ると、４枚の建材が隣接する位置において、４個の切欠き（最初の建材２の切欠き４ｃと、２枚目の建材２２の切欠き２４ｄと、３枚目の建材３２の切欠き３４ｂと、４枚目の建材４２の切欠き４４ａ）が連続し、正方形の切欠き５が出現する。その正方形の切欠き５では、４枚のネット６（最初の建材２のネット６ｃと、２枚目の建材２２のネット２６ｄと、３枚目の建材３２のネット３６ｂと、４枚目の建材４２のネット４６ａ）が重複することになる。
【００２１】
図５は、４個の切欠き（最初の建材２の切欠き４ｃと、２枚目の建材２２の切欠き２４ｄと、３枚目の建材３２の切欠き３４ｂと、４枚目の建材４２の切欠き４４ａ）が連続することで出現する正方形状の切欠き５において、４枚のネット６（最初の建材２のネット６ｃと、２枚目の建材２２のネット２６ｄと、３枚目の建材３２のネット３６ｂと、４枚目の建材４２のネット４６ａ）が重複する関係を、より分かりやすく示している。また、４枚目の建材を貼ることで、前記の正方形状の切欠き５以外の部分では、樹脂層の表面側にネットが露出することがないことが確認される。特に、図５（３）に示すように、３枚目の建材３２のネット３６には切欠き３６ｊが形成されており、図５（４）に示すように、４枚目の建材４２のネット４６の切欠き４４ａで延びているネット４６ａの形状は、４個の切欠きが連続することで出現する正方形状の切欠き５に対応している。そのために、正方形状の切欠き５の内部では４枚のネット６が重複し、切欠き５以外の部分では樹脂層４の表面側にネット６が露出することがないことが確認される。
【００２２】
図８以降は、４枚の建材が貼られた後の断面図を示している。１枚目の建材２から、４個の切欠き４ｃ、２４ｄ、３４ｂ、４４ａが連続することで形成される正方形状の切欠き５を経て、３枚目の建材３２に至る線分に沿った断面を示している。
【００２３】
躯体表面に建材を貼ったら、後記するアンカーピンを使ってネット６を躯体表面に固定していく。本実施例では、４個の切欠き４ｃ、２４ｄ、３４ｂ、４４ａが連続することで出現する正方形状の切欠き５の位置において、アンカーピンを躯体５０に固定する。すなわち、４枚のネット６（最初の建材２のネット６ｃと、２枚目の建材２２のネット２６ｄと、３枚目の建材３２のネット３６ｂと、４枚目の建材４２のネット４６ａ）が重複している位置で、アンカーピンを躯体５０に固定する。
【００２４】
図９は、重複している４枚のネット越しに、躯体５０に穿孔した状態を示す。孔６２が形成される。
図１０は、アンカーピン６４を孔６２に挿入した状態を示している。アンカーピン６４は、ネット６の網目よりも大きな頭部６５を備えており、その頭部６５が重複したネット６ｃ、２６ｄ、３６ｂ、４６ａを躯体５０側に押し付ける。
【００２５】
図１１は、アンカーピン６４に芯棒７０を打ち込む様子を示している。アンカーピン６４の軸芯に沿って貫通孔６６が形成されている。その貫通孔６６の壁面は、アンカーピンの先端部では傾斜しており（参照番号６８を参照）、アンカーピンの先端に向かって貫通孔の径は細くなっている。そこに芯棒７０を打ち込むと、図１２に示すように、アンカーピン６４の先端部の直径が拡大する。そのために、アンカーピン５４の先端近傍の拡大された側壁７２は、コンクリートの躯体５０に喰い込み、アンカーピン６４が躯体５０に強固に固定される。なお、必要であれば、芯棒７０を打ち込むに先だって、貫通孔から接着剤を注入しておいてもよい。
図１３は、４個の切欠き４ｃ、２４ｄ、３４ｂ、４４ａが連続することで出現した正方形状の切欠き５の位置に、装飾板７４を貼った状態を示す。装飾板７４を貼ると、ネット６とアンカーピン６４が被覆されて外観が向上する。また装飾板７４がポイントとなって躯体表面の意匠性が向上する。
【００２６】
ピンネット工法では、１辺が５０ｃｍの正方形格子の各頂点位置にアンカーピンを固定することが推奨されている。また、ネットとネットの継ぎ目では、５ｃｍのオーバーラップを設けることが推奨されている。実施例の建材２を用いると、上記の条件を満たすことができる。
【００２７】
本実施例の建材２では、表面側樹脂層４ｈが仕上げ層を兼用している。そこで、建材２を貼り、アンカーピンを固定し、必要なら装飾板７４を貼ることでピンネット工法が完成する。従来のピンネット工法と比較すると、必要工程数を著しく削減することができる。
【００２８】
本実施例では、４個の切欠きが連続することで出現する正方形状の切欠き５の位置にアンカーピン６４を固定する。さらに、４枚目の建材４２の上辺に沿った位置、及びまたは右辺に沿った位置で、樹脂層４越しにアンカーピンを固定してもよい。
装飾性と耐久性に高いアンカーピンを用いる場合には、アンカーピンの頭部が樹脂層４の表面に露出していてもよい。その場合には、樹脂層４の四隅に切欠きを設けなくてもよい。ネット６ｅ，６ｆを使って重ね張りし、隣接するネットが重複する位置で樹脂層４越しにアンカーピンを固定していけば、ピンネット工法が完成する。
【００２９】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３０】
２：建材
４：樹脂層
４ａ，４ｂ，４ｃ，４ｄ：切欠き
４ｇ：裏面側樹脂層
４ｈ：表面側樹脂層
５：４つの切欠きが連続することで形成される正方形の切欠き
６：ネット
６ａ：切欠き４ａに延びるネット
６ｂ：切欠き４ｂに延びるネット
６ｃ：切欠き４ｃに延びるネット
６ｄ：切欠き４ｄに延びるネット
６ｅ：樹脂層４の左辺からに延びるネット
６ｆ：樹脂層４の下辺からに延びるネット
６ｊ：６ｂと６ｅ間に形成されている切欠き
２２：２枚目の建材
３２：３枚目の建材
４２：４枚目の建材
５０：躯体
５２：モルタル層
５４：タイル
５６：目地セメント
６０：プライマリー層
６２：孔
６４：アンカーピン
６５：頭部
６６：貫通孔を作る内壁
６８：アンカーピン先端に形成されている傾斜した内壁
７０：芯棒
７２：アンカーピン先端近傍で拡大した外壁
７４：装飾板
【図１】
2015101835.tif 000003
【図２】
2015101835.tif 000004
【図３】
2015101835.tif 000005
【図４】
2015101835.tif 000006
【図５】
2015101835.tif 000007
【図６】
2015101835.tif 000008
【図７】
2015101835.tif 000009
【図８】
2015101835.tif 000010
【図９】
2015101835.tif 000011
【図１０】
2015101835.tif 000012
【図１１】
2015101835.tif 000013
【図１２】
2015101835.tif 000014
【図１３】
2015101835.tif 000015